(57)【要約】【課題】  ディスク装置に落下衝撃などの大きな外力が加った場合であっても、シャーシの撓みによる反り変形を抑制することによって、スライダの突起がトレイの係合溝部から抜け出て外れてしまうという事態が起こることを防止する。【解決手段】  シャーシ１０がトレイ３０から離れる方向に反り変形することを抑制してトレイ３０の係合溝部３１からスライダ２０の突起２１が抜け出て外れることを防ぐ離脱防止手段５０を追加する。離脱防止手段５０は、ばね受体５１とばね体５２とを備えていて、ばね体５２が、シャーシ１０を介してスライドガイド１２をトレイ３０に接近させる方向に常時弾発付勢している。【選択図】        図３
2009037681.tif 000002
【特許請求の範囲】
【請求項１】
ディスクの給排を行うためのトレイがシャーシに前後方向に出退移動可能に取り付けられ、かつ、そのシャーシを横切って配備されているスライドガイドにスライダが横方向スライド可能に重ね合わされ、上記トレイの後退位置である初期位置で、そのトレイの裏面側に設けられている係合溝部に上記スライダに設けられている突起が嵌入状に係合していることにより、上記トレイの前方への突出移動が阻止されていると共に、上記係合溝部を有する上記トレイと、上記スライドガイドを有する上記シャーシとのそれぞれが、樹脂で一体成形されているディスク装置において、
上記シャーシが上記トレイから離れる方向に反り変形することを抑制してトレイの上記係合溝部からスライダの上記突起が抜け出て外れることを防ぐ離脱防止手段が追加されていることを特徴とするディスク装置のトレイ離脱防止構造。
【請求項２】
上記離脱防止手段が、上記シャーシの下方に配備されたばね受体と、このばね受体と上記シャーシとの間に介在されて上記スライドガイドを上記トレイに接近させる方向に常時弾発付勢しているばね体と、を備えている請求項１に記載したディスク装置のトレイ離脱防止構造。
【請求項３】
上記ばね体が、シャーシの横幅方向中央部を弾発付勢している請求項２に記載したディスク装置のトレイ離脱防止構造。
【請求項４】
上記ばね体がコイルばねである請求項２又は請求項３に記載したディスク装置のトレイ離脱防止構造。
【請求項５】
上記ばね受体が、当該ディスク装置に取り付けられた板金製のシールド部材に折曲げ形成されている突出片でなる請求項２ないし請求項３のいずれか１項に記載したディスク装置のトレイ離脱防止構造。
【請求項６】
上記離脱防止手段が、上記シャーシの下方でそのシャーシに対峙しているストッパでなり、そのストッパが上記シャーシに突き当たってそのシャーシの反り変形幅を規制することより、そのシャーシが上記トレイから離れる方向に反り変形してトレイの上記係合溝部からスライダの上記突起が抜け出て外れることを防ぐように構成されている請求項１に記載したディスク装置のトレイ離脱防止構造。
【請求項７】
上記ストッパが、当該ディスク装置に取り付けられた板金製のシールド部材に形成されている突出片でなる請求項６に記載したディスク装置のトレイ離脱防止構造。
【発明の詳細な説明】
【技術分野】
【０００１】
本発明は、ディスク装置のトレイ離脱防止構造、特に、シャーシやトレイのそれぞれが樹脂で一体成形されているディスク装置において、シャーシやトレイが衝撃などを受けて互いに遠ざかる方向に撓んで反り変形を起こしたような場合に、トレイがシャーシから離脱することを防止することに役立つディスク装置のトレイ離脱防止構造に関する。
【背景技術】
【０００２】
図７はシールド部材１００に取り付けられた従来例としてのディスク装置Ａの構成を概略で示した正面図である。
【０００３】
シールド部材１００は前板１０１を有していて、ディスク装置Ａのシャーシ１０の前端部が上記前板１０１に形成されている凹所１０２に嵌まり込んでいる。また、前板１０１の上端とシャーシ１０との間には所要の隙間Ｓが確保されていて、この隙間Ｓが、シャーシ１０や前板１０１の寸法ばらつきを吸収することに役立っている。
【０００４】
ディスク装置Ａにおいて、シャーシ１０にはトレイ３０が前後方向に出退移動可能に取り付けられていて、このトレイ３０に図示していない記録媒体としてのディスクを給排する機能が備わっている。すなわち、シャーシ１０の前方にトレイ３０が突出しているときに、トレイ３０にディスクを乗せたりトレイ３０からディスクを取り出したりしてディスク交換が行われる。また、ディスクを乗せたトレイ３０を突出位置から後退させる動作を通じて、ディスクが図示していないクランプ位置（プレイ位置）に搬入される。
【０００５】
また、シャーシ１０には、それを横切る形態でスライドガイド１２が備わっていて、このスライドガイド１２に板状のスライダ２０が横方向スライド可能に重なり合っている。そして、トレイ３０が初期位置に後退しているとき、すなわち、トレイ３０がシャーシ１０に完全に引き込まれているときには、トレイ３０の裏面側に設けられている係合溝部３１にスライダ２０に上向きに設けられている突起２１が嵌入状に係合している。そして、このように係合溝部３１に突起２１が係合していることによって、トレイ３０の前方への突出移動が阻止されるようになっている。
【０００６】
上記構成のディスク装置において、係合溝部３１を有するトレイ３０が樹脂で一体成形され、スライドガイド１２を有するシャーシ１０が樹脂で一体成形されているものでは、落下衝撃などの大きな外力が加った場合などに、図７に矢印Ｙ１，Ｙ２で示したように、シャーシ１０とトレイ３０とが互いに離れる方向に仮想線で示したように撓んで反り変形するという事態が起こり得る。そして、シャーシ１０が反り変形したときには、それに伴ってスライドガイド１２も上記した隙間Ｓ内で同じ方向に反り変形を起こすことになる。
【０００７】
一方、上記したディスク装置が属しているコンパクトディスクプレーヤなどの記録再生装置の分野では、筐体と被防振部との間の複数箇所にバネやクーロンダンパを介在させることによって、防振特性を高める提案がなされている（たとえば、特許文献１参照）。
【特許文献１】特開平３−２８６４８７号公報
【発明の開示】
【発明が解決しようとする課題】
【０００８】
図７を参照して説明したように、シャーシ１０とトレイ３０とが互いに離れる方向に撓んで反り変形するという事態が起こると、シャーシ１０やトレイ３０の撓み幅（反り変形量）によっては、スライダ２０の突起２１がトレイ３０の係合溝部３１を乗り越えてその係合溝部３１から抜け出すという事態の起こるおそれがある。そして、そのような事態が起こると、トレイ３０が初期位置に位置規制されなくなってシャーシ１０の前方へ突出したり、場合によっては、シャーシ１０から外れてしまったりすることもある。
【０００９】
ところで、トレイ３０の係合溝部３１には、トレイ３０の出退移動中にスライダ２０が横方向にスライドすることを阻止する機能を発揮する領域や、トレイ３０が後退して初期位置に到達する直前のタイミングでスライダ２０を横方向に移動させてそのスライダ２０を駆動歯車に連動させるための機能を発揮する領域などが含まれている。そのため、上記したように、スライダ２０の突起２１がトレイ３０の係合溝部３１から抜け出て外れてしまうと、トレイ３０が初期位置に保たれないという事態が起こるだけでなく、スライダ２０などの機構部品が正常に動作しなくなってしまう。
【００１０】
本発明は以上の状況の下でなされたものであり、落下衝撃などの大きな外力が加った場合であっても、シャーシの撓みによる反り変形を抑制することによって、スライダの突起がトレイの係合溝部から抜け出て外れてしまうという事態が起こることを防止することのできるディスク装置のトレイ離脱防止構造を提供することを目的とする。
【課題を解決するための手段】
【００１１】
本発明に係るディスク装置のトレイ離脱防止構造は、ディスクの給排を行うためのトレイがシャーシに前後方向に出退移動可能に取り付けられ、かつ、そのシャーシを横切って配備されているスライドガイドにスライダが横方向スライド可能に重ね合わされ、上記トレイの後退位置である初期位置で、そのトレイの裏面側に設けられている係合溝部に上記スライダに設けられている突起が嵌入状に係合していることにより、上記トレイの前方への突出移動が阻止されていると共に、上記係合溝部を有する上記トレイと、上記スライドガイドを有する上記シャーシとのそれぞれが、樹脂で一体成形されている。そして、上記シャーシが上記トレイから離れる方向に反り変形することを抑制してトレイの上記係合溝部からスライダの上記突起が抜け出て外れることを防ぐ離脱防止手段が追加されている。
【００１２】
本発明では、上記離脱防止手段が、上記シャーシの下方に配備されたばね受体と、このばね受体と上記シャーシとの間に介在されて上記スライドガイドを上記トレイに接近させる方向に常時弾発付勢しているばね体と、を備えていることが望ましい。この構成であると、ばね体の付勢作用によってシャーシの撓みによる反り変形が抑制されて、トレイの係合溝部からスライダの突起が抜け出て外れるという事態が起こらなくなる。その上、ばね体を用いてシャーシのスライドガイドをトレイに接近させる方向に付勢しているため、シャーシに寸法ばらつきがあるとしても、その寸法ばらつきをばね体の弾性によって容易に吸収させることが可能になる。
【００１３】
上記したシャーシの撓みによる反り変形量は、一般的にシャーシの横幅方向中央部で最も大きくなる。そのため、上記ばね体が、シャーシの横幅方向中央部を弾発付勢している、という構成を採用すると、シャーシの反り変形量をばね体の付勢作用によって効率よく小さく抑えることが可能になる。
【００１４】
上記ばね体には、好ましくはコイルばねを用いることができるけれども、板ばねやゴムなどの弾性体を用いることも可能である。ばね体にコイルばねを用いると、ばね体のコストを安く抑えることが容易であり、ばね体の耐久性も優れたものになる。
【００１５】
図７を参照して説明したディスク装置のように、板金製のシールド部材に取り付けられているディスク装置では、上記ばね受体が、そのシールド部材に折曲げ形成されている突出片でなる、という構成を好適に採用することが可能である。この構成であると、ばね受体がシールド部材と一体になっているので、ばね受体としての余分な部品を用いる必要がなくなる。
【００１６】
一方、上記離脱防止手段には、ばね体を用いない構成を採用することも可能である。そのような事例として、上記離脱防止手段が、上記シャーシの下方でそのシャーシに対峙しているストッパでなり、そのストッパが上記シャーシに突き当たってそのシャーシの反り変形幅を規制することより、そのシャーシが上記トレイから離れる方向に反り変形してトレイの上記係合溝部からスライダの上記突起が抜け出て外れることを防ぐように構成されている、という構成を採用することが可能である。この構成であると、ストッパがシャーシの撓みによる反り変形量の最大値を規制するので、トレイの係合溝部からスライダの突起が抜け出て外れてしまう程度に大きなシャーシの反り変形が起こらなくなる。
【００１７】
図７を参照して説明したディスク装置のように、板金製のシールド部材に取り付けられているディスク装置では、上記ストッパが、そのシールド部材に形成されている突出片でなる、という構成を好適に採用することが可能である。この構成であると、ストッパとしての余分の部品を用いる必要がなくなる。
【発明の効果】
【００１８】
以上のように、本発明に係るトレイ離脱防止構造を備えたディスク装置によると、落下衝撃などの予期しない大きな外力が加った場合であっても、シャーシの撓みによる反り変形が抑制されて、スライダの突起がトレイの係合溝部から抜け出て外れてしまうという事態が起こることが防止される。そのため、仮に不注意でディスク装置を落下させたような場合であっても、そのときの衝撃でトレイが正規位置から外れてしまってトレイやスライダなどが正常に動作しなくなるという事態が未然に防止されるという効果が奏される。
【発明を実施するための最良の形態】
【００１９】
図１は本発明に係るディスク装置Ａとそのディスク装置Ａが取り付けられる板金製のシールド部材１００とを示した概略分解斜視図である。また、図２はディスク装置Ａの概略構成を示した平面図、図３はシールド部材１００に取り付けられたディスク装置Ａの概略正面図である。さらに、図４は図２のＩＶ−ＩＶ線に沿う部分を概略で示した拡大断面図、図５は図２のＶ−Ｖ線に沿う部分を概略で示した拡大断面図である。
【００２０】
図１のように、シールド部材１００は、凹所１０２を備えた前板１０１を備えていて、このシールド部材１００に略箱形のディスク装置Ａが取り付けられる。ディスク装置Ａは、ローダシャーシと呼ばれるシャーシ１０やトレイ３０などを備えている。
【００２１】
図２又は図３に示した概略構成を参照して、ディスク装置Ａをさらに詳細に説明する。このディスク装置Ａにおいて、樹脂で一体成形されているシャーシ１０には、その前部に梁状のスライドガイド１２が備わっている。スライドガイド１２のガイド面は平坦であり、その上に板状の樹脂成形体でなるスライダ２０が横方向Ｘにスライド可能に重ね合わされている。また、シャーシ１０にはトレイ３０が前後方向に出退移動可能に取り付けられている。図３に符号１３によってガイドを示してあり、このガイド１３がトレイ３０の前後方向の出退移動を案内する。
【００２２】
トレイ３０が初期位置に後退しているとき、すなわち、トレイ３０がシャーシ１０に完全に引き込まれているときには、トレイ３０の裏面側に設けられている係合溝部３１にスライダ２０に上向きに設けられている突起２１が嵌入状に係合している。そして、このように係合溝部３１に突起２１が係合していることによって、トレイ３０の前方への突出移動が阻止されるようになっている。トレイ３０の係合溝部３１には、トレイ３０の出退移動中にスライダ２０が横方向にスライドすることを阻止する機能を発揮する領域や、トレイ３０が後退して初期位置に到達する直前のタイミングでスライダ２０を横方向に移動させてそのスライダ２０を駆動歯車に連動させるための機能を発揮する領域などが含まれている点については既述した。
【００２３】
図１又は図２によって判るように、ディスク装置Ａのシャーシ１０の前端部がシールド部材１００の前板１０１に形成されている上記凹所１０２に嵌まり込んでいる。また、前板１０１の上端とシャーシ１０との間には所要の隙間Ｓが確保されていて、この隙間Ｓが、シャーシ１０や前板１０１の寸法ばらつきを吸収することに役立っている。
【００２４】
図２のディスク装置Ａにおいて、２００は光ピックアップ、３００はターンテーブルを示している。光ピックアップ２００は、駆動機構２１０やガイドシャフト２２０などの作用によって矢印Ｆのように直線路を往復移動可能である。また、ターンテーブル３００は、図示していないディスクを保持して回転する。
【００２５】
図３のように、この実施形態では、図７を参照して説明したディスク装置に対して離脱防止手段５０が追加されている。この離脱防止手段５０は、シャーシ１０がトレイ３０から離れる方向に反り変形することを抑制してトレイ３０の係合溝部３１からスライダ２０の突起２１が抜け出て外れることを防ぐ作用を発揮する。
【００２６】
図４及び図５に示したように、離脱防止手段５０はばね受体５１とばね体５２とを備えている。図１又は図３のように、この実施形態では、ばね受体５１が、板金製のシールド部材１００の前板１０１の横幅方向中央部の上端に折曲げ形成されている突出片でなる。また、ばね体５２にコイルばねが用いられている。そして、図４又は図５のように、ばね体５２がばね受体５１とシャーシ１０との間に介在されていて、ばね体５２によってスライドガイド１２がトレイ３０に接近する方向に常時弾発付勢されている。スライドガイド１２に対するばね体５２の付勢箇所は、シャーシ１０の横幅方向中央部に定められている。なお、シャーシ１０が底板を有しているものでは、ばね体５２が直接にシャーシ１０の底板を押し付けることになる。
【００２７】
以上のように構成されている離脱防止構造の作用を説明する。
【００２８】
シャーシ１０がばね体５２の付勢作用によってトレイ３０に近付く方向に常時付勢されているので、落下衝撃などの外力によってシャーシ１０を撓ませる力が加わったとしても、その力がばね体５２により受け止められてシャーシ１０の撓みによる反り変形が抑制される。そのため、トレイ３０やシャーシ１０が図７に矢印Ｙ１，Ｙ２で示した方向、すなわち互いに遠ざかる方向に撓んで反り変形を起こしたとしても、シャーシ１０の撓みによる反り変形が少なく抑えられて、トレイ３０の係合溝部３１からスライダ２０の突起２１が抜け出て外れるという事態が起こらない。特にこの実施形態では、シャーシ１０の撓みによる反り変形量が、シャーシ１０の横幅方向中央部で最も大きくなることを考慮して、ばね体５２をシャーシ１０の横幅方向中央部に弾接させてあるので、シャーシ１０の反り変形量がばね体５２の付勢作用によって効率よく小さく抑えられる。そのために、上記したような離脱防止機能が確実に発揮される。
【００２９】
この実施形態のように、離脱防止手段５０を、ばね受体５１とばね体５２とによって構成しておくと、ばね体５２が、シャーシ１０などの寸ばらつきを吸収する機能を発揮する。そのために、シャーシ１０に寸法ばらつきがあるとしても、その寸法ばらつきをばね体５２の弾性によって容易に吸収させることが可能になるという利点がある。
【００３０】
図６は離脱防止手段５０の変形例を示してある。この事例では、離脱防止手段５０にばね体を用いない構成を採用している。すなわち、板金製のシールド部材１００の前板１０１の上端に形成したストッパとしての突出片によって離脱防止手段５０を構成してある。ストッパとしての突出片でなる離脱防止手段５０とシャーシ１０との間には、シャーシ１０の寸法ばらつきを吸収させるための微少な隙間Ｓ１が確保されている。
【００３１】
この構成によると、離脱防止手段５０としてのストッパを形成している突出片が、撓みにより反り変形を起こしたシャーシ１０に突き当たってその反り変形量の最大値を規制する。そのため、トレイ３０の係合溝部３１からスライダ２０の突起２１が抜け出て外れてしまう程度に大きなシャーシの反り変形が起こらなくなる。
【図面の簡単な説明】
【００３２】
【図１】本発明に係るディスク装置とシールド部材とを示した概略分解斜視図である。
【図２】ディスク装置の概略構成を示した平面図である。
【図３】シールド部材に取り付けられたディスク装置の概略正面図である。
【図４】図２のＩＶ−ＩＶ線に沿う部分を概略で示した拡大断面図である。
【図５】図２のＶ−Ｖ線に沿う部分を概略で示した拡大断面図である。
【図６】変形例による離脱防止手段を備えるディスク装置の要部の概略正面図である。
【図７】シールド部材に取り付けられた従来例としてのディスク装置の構成を示した概略正面図である。
【符号の説明】
【００３３】
１０  シャーシ
１２  スライドガイド
２０  スライダ
２１  突起
３０  トレイ
３１  係合溝部
５０  離脱防止手段
５１  ばね受体
５２  ばね体
【図１】
2009037681.tif 000003
【図２】
2009037681.tif 000004
【図３】
2009037681.tif 000005
【図４】
2009037681.tif 000006
【図５】
2009037681.tif 000007
【図６】
2009037681.tif 000008
【図７】
2009037681.tif 000009